(57)【要約】【課題】設置された網籠体に対して簡易な工程によって前面パネル体を後付で組み付けることを可能とする。【解決手段】多数個の前面部材９を支保工部材１１により一体化してなる前面パネル体１０が、下地層２上に設置された各網籠体３の前面部４に後付けで組み合わされる。前面パネル体は、長さ調節機構を有する連結部材１３と、支保工部材１１に組み付けられかつ下段に設置した網籠体３Ｌ内に差し込まれる連結ロッド１２とにより保持されて網籠体３に組み付けられる。【選択図】  図３
2004244998.tif 000002
【特許請求の範囲】
【請求項１】
栗石や砕石からなる中詰物が金網内に詰め込まれ下地面上に積上げ或いは敷詰めて設置されることによって籠積み擁壁を構成する網籠体の前面部に着脱自在に組み付けられ、
上記網籠体の前面部に縦列或いは横列に並べて設置されることによって上記籠積み擁壁の前面部位を構成する多数個の柱状前面部材と、
上記各前面部材をそれぞれ固定してパネル状に一体化する支保工部材と、
上記支保工部材に対して着脱されるとともに、組付状態において下端部が下段に設置された上記網籠体内に差し込まれて保持される連結ロッドと、
上記支保工部材や上記連結ロッドと上記網籠体の金網とを連結する長さ調節機構を有する連結部材と
から構成されることを特徴とする籠積み擁壁用前面パネル装置。
【発明の詳細な説明】
【０００１】
【発明の属する技術分野】
本発明は、河川の護岸工事や道路や造成地の法面工事等において採用される栗石や砕石からなる中詰物を金網に詰め込んでなる網籠体に対して後付でも組み付けが可能とされて前面部位を構成する籠積み擁壁用前面パネル装置に関する。
【０００２】
【従来の技術】
例えば、河川の護岸工事等においては、護岸資材としてコンクリートパネルやコンクリートブロックに代えて、水圧や地盤沈下の変化に対応する可撓性或いは定着性を有して強固な護岸を築くとともに通水性を有して水質保全を図り生態系を保護する等の特性を有する円柱形の蛇篭や矩形ブロック体の布団籠等の網籠体が用いられるようになっている。網籠体は、所定の形状に編み上げた金網内に栗石や砕石或いは砕石、現地発生材、土砂等が詰め込まれ、掘削、整地等が施された下地面上に適宜積み上げたり敷き詰められたりして設置される。
【０００３】
籠積み擁壁においては、より自然景観を保持するとともに、内部に詰め込んだ中詰物の重量による籠の変形、いわゆるハラミ現象を防止したり、設置後の植生のために施す盛り土の流れ止め等を図ることを目的として、網籠体の前面部に前面パネル体を組み付けたものを用いた構造のも提案されている（例えば特許文献１、特許文献２）。前面パネル体は、網籠体を機械的に保護するとともに景観に合わせて、一般に多数本の天然木の丸太材や擬岩等の前面部材を組み付けて構成されている。
【特許文献１】
特開平１１−３０３０９０号公報
【特許文献２】
特開２００２−８８７８４号公報
【０００４】
【発明が解決しようとする課題】
ところで、従来の籠積み擁壁工法においては、網籠体が、一般に現場や工場において編み上げた網籠の内部に栗石等を充填されるとともにその前面部に前面パネル体が組み付けられ、重機等により吊り上げられて設置される。籠積み擁壁工法においては、各網籠体毎のハラミ現象とともに上段側の網籠体の重量が下段側の網籠体にかかって生じるハラミ現象により前面パネル体が変形して相互の連続性が損なわれて景観を損なわせるといった虞があった。このため、籠積み擁壁工法においては、充分な機械的強度を有する前面パネル体を用いる必要があった。
【０００５】
しかしながら、従来の籠積み擁壁工法においては、機械的強度が大きい大型の前面部材を有する前面パネル体を予め組み付けた網籠体を用いることから、コストが高くなるとともに施工性も悪くなりかつ網籠体の可撓性も損なわれるといった問題があった。従来の籠積み擁壁工法においては、例えば施工後にハラミ現象等に基づく各網籠体に予め組み付けられた前面パネル体の相互の連続性を補正するといった対応を施すことが困難であった。
【０００６】
また、籠積み擁壁工法においては、例えば網籠体のみを設置して施工した既存の擁壁に対して改修等を施すといった場合に、景観等に合わせて網籠体に新たに前面パネル体を組み付けたり交換するといった対応を図ることが困難であった。
【０００７】
したがって、本発明は、設置された網籠体に対して前面パネル体を簡易な工程によって後付で組み付けることを可能とする籠積み擁壁用前面パネル装置を提供することを目的に提案されたものである。
【０００８】
【課題を解決するための手段】
この目的を達成する本発明にかかる籠積み擁壁用前面パネル装置は、栗石や砕石からなる中詰物が金網内に詰め込まれ下地面上に積上げ或いは敷詰めて設置されることにより籠積み擁壁を構成する網籠体の前面部に着脱自在に組み付けられる。籠積み擁壁用前面パネル装置は、網籠体の前面部に縦列或いは横列に並べて設置されることによって籠積み擁壁の前面部位を構成する多数個の柱状前面部材と、各前面部材を固定してパネル状に一体化する支保工部材と、この支保工部材に対して着脱されるとともに取付状態において下端部が下段に設置された網籠体内に差し込まれて保持される連結ロッドと、支保工部材や連結ロッドと網籠体の金網とを連結するとともに長さ調節機構を有する連結部材とから構成される。
【０００９】
以上のように構成された本発明にかかる籠積み擁壁用前面パネル装置においては、施工条件によって長さや並び状態が適宜設定される多数個の前面部材がそれぞれの背面部を固定されることにより支保工部材を介して一体化されて前面パネル体が構成され、この前面パネル体が下地面上に設置された各網籠体の前面部に対して後付けで組み付けられる。籠積み擁壁用前面パネル装置においては、連結部材の一端部を前面パネル体の支保工部材に連結するとともに他端部を網籠体の金網に連結し、さらに支保工部材に対して連結ロッドが下端部を下段に設置された網籠体内に差し込むようにして取り付けられることにより、この連結ロッドと連結部材とによって前面パネル体を網籠体の前面部に簡易な工法によって強固に組み付けることが可能とされる。籠積み擁壁用前面パネル装置においては、連結部材の長さ調節機構によって各網籠体毎にそれぞれの前面部に組み合わされた前面パネル体との間隔調整を行うことにより、ハラミが生じた網籠体に対しても一定の状態でパネル体の組み付けを可能とするとともに各前面パネル体の相互の位置合わせが行われ、施工精度の高い籠積み擁壁の施工を可能とする。
【００１０】
【発明の実施の形態】
以下、本発明の実施の形態について図面に示した籠積み擁壁用前面パネル装置１（以下、前面パネル装置１と略称する。）について詳細を説明する。前面パネル装置１は、図１に示すように、適宜掘削、整地等が施された法面の下地層２上に重機等により順次積み上げられて設置されることによって籠積み擁壁を構成する多数個の網籠体３Ａ〜３Ｎ（以下、代表して説明する場合には、網籠体３と総称する。）のそれぞれの前面部４に対して組み付けられる。網籠体３には、内部に栗石や砕石或いは砕石、現地発生材、土砂等が詰め込まれる。
【００１１】
なお、実施の形態においては、籠積み擁壁が、布団籠からなる網籠体３を下地層２上に上部に向かって次第に後退させるようにして階段状に多段積みして施工されてなる。籠積み擁壁には、後述する前面パネル装置１の組付施工後に、最上部の網籠体２Ｎの上面部５の全体や下段側の網籠体２の突出された前方部位６にそれぞれ盛り土７が施されて植生が行われる。
【００１２】
網籠体３には、例えば線径が３．２ｍｍ乃至５．０ｍｍの亜鉛−アルミ合金めっき鉄線或いはＮＫ（ニューカルス鉄線）超厚アルミめっき鉄線等の金属線材を約８０ｍｍのピッチで図５に示すように略六角形の網目形状に編み上げてなる亀甲編み金網が用いられる。網籠体３は、現場或いは工場において金属線材を円柱形の蛇篭や矩形ブロック体の布団籠に編み上げて製作される。網籠体３は、各編み目部位８において線材が２重或いは３重に絡み上げられることによって２９０Ｎ／ｍｍ２〜５４０Ｎ／ｍｍ２の引張り強度を有し、最も強度が大きい。
【００１３】
前面パネル装置１は、それぞれ詳細を後述するが、多数本の丸太材９Ａ〜９Ｍ（以下、代表して説明する場合には、丸太材９と総称する。）と、縦列或いは横列に並べられたこれら丸太材９を一体化してパネル体１０を構成する支保工部材１１と、この支保工部材１１に対して着脱自在に組み合わされる連結ロッド１２と、この連結ロッド１２と網籠体３とを間隔調整を自在にして連結するターンバックル１３等の部材によって構成される。前面パネル装置１は、網籠体３に組み付けられた状態において、図２に示すようにその前面部４に多数本の丸太材９が水平方向に並べられたパネル体１０として前面部材を構成する。
【００１４】
丸太材９は、例えば天然木を長さ方向に半割りしてなり、図２に示すように水平方向に並べられそれぞれの平坦部を取付面１４として支保工部材１１に対して取付ボルト１５によって固定される。丸太材９には、必要に応じて防腐剤を塗布する処理が施される。前面パネル装置１は、網籠体３の前面部４に対して、やや大きな高さとほぼ等しい幅の外形を有するようにして各丸太材９がパネル状に一体化されてなる。前面パネル装置１は、最上部の丸太材９Ｍが同図に示すように網籠体３の上面部５から上方へと突出されるようにして一体化され、この丸太材９Ｍが盛り土７の流れ止め作用を奏するようにする。
【００１５】
なお、丸太材９は、図６に示すようにを互いに高さ方向に並べたり、図示しないが斜めに並べたりして支保工部材１１に固定するようにしてもよい。丸太材９については、天然木を用いるようにしたが、擁壁の施工仕様に応じて例えばコンクリートによって成形した擬似丸太材或いは擬岩体等を用いてもよい。
【００１６】
支保工部材１１は、例えば鋼板に引抜き加工等を施して形成され、断面略台形の基部１６と、この基部１６の両側縁に沿って全長に亘ってそれぞれ一体に形成されて丸太材９の取付部を構成するた取付フランジ部１７Ａ、１７Ｂ（以下、代表して説明する場合には、取付フランジ部１７と総称する。）と、基部１６の主面に形成された少なくとも上下一対のガイド片部１８Ａ、１８Ｂ（以下、代表して説明する場合には、ガイド片部１８と総称する。）とからなる。支保工部材１１は、網籠体３の前面部４の高さよりも長軸であり、各丸太材９を取り付けた状態において図３に示すように少なくとも最上部の丸太材９Ｍを網籠体３の上面部５から上方へと突出させるようにする。
【００１７】
各取付フランジ部１７には、高さ方向に所定の間隔を以って複数個の取付孔１９が形成されており、後述するように支保工部材１１に丸太材９を固定するための取付ボルト１５がそれぞれ嵌挿される。各ガイド片部１８は、それぞれ基部１６に形成したコ字状の切欠き溝２１によって切り残された矩形部位を、主面に対して長さ方向に直交するようにして垂直に折曲して形成される。各ガイド片部１８は、互いに長さ方向に対して互いに平行に対峙しており、軸線を一致されてガイド孔２２Ａ、２２Ｂ（以下、代表して説明する場合には、ガイド孔２２と総称する。）が形成されている。各ガイド片部１８は、後述するように前面パネル装置１が網籠体３の前面部４に組み合わされた状態において、この前面部４の金網内に突出される。各ガイド片部１８には、詳細を後述するように網籠体３の上面部５側から挿通された連結ロッド１２がガイド孔２２に嵌挿されて組み付けられる。
【００１８】
前面パネル装置１には、例えば２本の支保工部材１１が用いられ、これら支保工部材１１を水平方向に並べられる各丸太材９の両端部の近傍に位置するようにして互いに高さ方向に対して平行に併置する。各支保工部材１１には、それぞれ基部１６と直交状態にして並べられた丸太材９が、取付フランジ部１７に対して取付面１４をあてがわれる。各支保工部材１１には、取付孔１９に取付ボルト１５が嵌挿され、この取付ボルト１５をねじ込むことによって取付フランジ部１７に対して丸太材９が固定される。各支保工部材１１には、同様の操作を経て多数本の丸太材９Ａ〜９Ｎが順次固定され、水平方向の丸太材９が高さ方向に並べられたパネル体１０を構成する。
【００１９】
各支保工部材１１には、上述したようにガイド片部１８のガイド孔２２に挿通されて連結ロッド１２が組み付けられる。連結ロッド１２は、後述するように網籠体３に対する前面パネル装置１の組付状態を保持する。連結ロッド１２は、ガイド片部１８のガイド孔２２の内径よりもやや小径とされるとともにガイド片部１８の対向間隔よりも長軸の丸鋼棒によって形成される。連結ロッド１２は、支保工部材１１に組み付けられた状態において、下端部２３が支保工部材１１の下端より下方へと突出するに足る長さを有している。
【００２０】
連結ロッド１２は、上端部を水平方向に折曲してストッパ部２４を構成するとともに、下端部２３を尖鋭化してアンカ部を構成している。ストッパ部２４は、連結ロッド１２が支保工部材１１に組み付けられた状態で、図３に示すように上部側のガイド片部１０Ａに引っ掛かることにより脱落を防止するようにする。アンカ部２３は、前面パネル装置１が網籠体３に組み付けられた状態で、図１に示すように下地層２或いは下段側に設置された網籠体３Ｌ内に差し込まれて前面パネル装置１の下部を保持する。
【００２１】
連結ロッド１２には、ストッパ部２４の近傍において網籠体３とパネル体１０との間を連結するとともに連結長さを調整自在とするターンバックル１３が取り付けられる。ターンバックル１３は、図４及び図５に示すように、互いに同一軸線上に位置する第１の連結ボルト部材２５Ａと第２の連結ボルト部材２５Ｂ（以下、代表して説明する場合には、連結ボルト部材２５と総称する。）及びこれら連結ボルト部材２５の相対する先端部に形成したねじ部２６Ａ、２６Ｂ（以下、代表して説明する場合には、ねじ部２６と総称する。）がねじ込まれるねじ孔２７Ａ、２７Ｂ（以下、代表して説明する場合には、ねじ孔２７と総称する。）が形成された略リング状の連結バックル２８とからなる。
【００２２】
ターンバックル１３は、図４矢印で示すように連結バックル２８を回転操作することにより第１の連結ボルト部材２５Ａと第２の連結ボルト部材２５Ｂとがねじ部２６とねじ孔２７とのねじ合わせにより連結バックル２８に対して出入りすることにより、これら第１の連結ボルト部材２５Ａと第２の連結ボルト部材２５Ｂとの間隔、換言すれば軸線方向の長さが調整されるようにする。ターンバックル１３は、図３に示すように第１の連結ボルト部材２５Ａが先端部に形成した連結部２９を連結ロッド１２に結合されるとともに、図４に及び図５示すように第２の連結ボルト部材２５Ｂが先端部に形成したフック部３０を網籠体３の金網に掛け合わされて結合される。ターンバックル１３は、網籠体３の最も強度の大きい編み目部位８と連結ロッド１２とを連結することにより、この網籠体３に対して前面パネル装置１の上部を強固に保持して大きな水圧等に対しても耐久性の高い強固な石組を構築することを可能とする。
【００２３】
なお、前面パネル装置１は、ターンバックル１３の第２の連結ボルト部材２５Ｂを網籠体３の編み目部位８に結合するようにしたが、例えば図５に示すように保持棒３１にフック部３０を掛け合わせるようにしてもよい。保持棒３１は、例えば金属丸棒が用いられ、両側面部を貫通するようにして網籠体３に組み合わされる。したがって、網籠体３は、より大きな連結強度を以って前面パネル装置１との組合せが図られるようになる。網籠体３は、金属線材を編み目部位８において２重或いは３重に絡み合わせた亀甲編み金網を用いずとも、前面パネル装置１と強固に組み合わされるようになる。
【００２４】
前面パネル装置１は、ターンバックル１３が、図４矢印で示すように連結バックル２８を回転操作して第１の連結ボルト部材２５Ａと第２の連結ボルト部材２５Ｂとの長さ調節を行うことによって、網籠体３との間隔調整が行われる。前面パネル装置１は、第２の連結ボルト部材２５Ｂを網籠体３の適宜の編み目部位８に結合しても、前面部４に対する間隔調整が簡易に行われる。前面パネル装置１は、ハラミ現象により前面部４が変形した網籠体３に対しても、間隔調整が簡易に行われる。
【００２５】
なお、前面パネル装置１は、網籠体３との連結部材としてターンバックル１３を用いたが、適宜の連結機構や連結部材を用いてもよいことは勿論である。連結部材は、例えばワイヤと、適宜のワイヤ巻上げ機構、ワイヤの先端部に設けたフック機構等によって構成するようにしてもよい。
【００２６】
以上のように構成された前面パネル装置１は、図１に示すように下段側の上面部５の前方部位６を露出させるように階段状に積み上げられて籠積み擁壁を構成する多数個の網籠体２の前面部４にそれぞれ組み付けられる。前面パネル装置１は、図２及び図３に示すように多数本の丸太材９が支保工部材１１によって一体化されてパネル体１０を構成し、このパネル体１０を網籠体３の前面部４に組み合わす作業が行われる。前面パネル装置１においては、パネル体１０を組み合わせた状態で、図３に示すように各支保工部材１１のガイド片部１８が網籠体３の内方へと突出する。
【００２７】
前面パネル装置１においては、連結ロッド１２が、図３矢印ａで示すように網籠体３の上面部５側から支保工部材１１に沿って差し込まれてガイド片部１８のガイド孔２２に嵌挿される。前面パネル装置１においては、連結ロッド１２のアンカ部２３が、網籠体３の底面部を貫通して下段側に設置された網籠体３Ｌの内部へと差し込まれる。前面パネル装置１においては、ストッパ部２４がガイド片部１８に係止されることによって、連結ロッド１２が支保工部材１１に組み付けられた状態を保持されるようにする。
【００２８】
前面パネル装置１においては、網籠体３の上面部５において、この網籠体３と連結ロッド１２との間を連結するターンバックル１３がセットされる。前面パネル装置１においては、第１の連結ボルト部材２５Ａの連結部２９が支保工部材１１に組み付けられた連結ロッド１２に結合されるとともに、第２の連結ボルト部材２５Ｂのフック部３０が網籠体３の編み目部位８に掛け合わされる。前面パネル装置１においては、この場合にターンバックル１３が第１の連結ボルト部材２５Ａと第２の連結ボルト部材２５Ｂとの間隔をやや大きく設定されている。
【００２９】
前面パネル装置１においては、図３矢印ｂで示すように第１の連結ボルト部材２５Ａと第２の連結ボルト部材２５Ｂとの間隔を狭めるように連結バックル２８が回転操作される。前面パネル装置１においては、パネル体１０がアンカ部２３を下段側の網籠体３Ｌに差し込まれた連結ロッド１２を支点として同図反時計方向へと回動し、網籠体３側へと引き寄せられる。前面パネル装置１においては、パネル体１０が、上部をターンバックル１３によりかつ下部をアンカ部２３により保持されて網籠体３の前面部４に組み付けられる。
【００３０】
前面パネル装置１は、階段状に多段積みされた各網籠体３に対して上述した操作を経てそれぞれ後付けで組み付けられることにより、前面部４に多数個の丸太材９が並べられた籠積み擁壁を施工する。各網籠体３には、図１に示すように前方部位６に盛り土７が施されて籠積み擁壁が施工される。前面パネル装置１は、上述したように各網籠体３に対して簡易に組み付けられて、いわゆる自然木仕様の籠積み擁壁を施工することを可能とする。前面パネル装置１は、網籠体３に対して簡易な工法により強固に組み付けることが可能とされる。前面パネル装置１は、ターンバックル１３によって各網籠体３毎にそれぞれの前面部４に対して精度よく組み付けられるようになる。
【００３１】
前面パネル装置１は、施工後であってもターンバックル１３を緩めかつ支保工部材１１から連結ロッド１２を抜き取ることによって網籠体３から取り外すことが可能である。したがって、前面パネル装置１は、例えば施工後における籠積み擁壁の景観仕様の変更等の事態が生じたり、丸太材９が破損してその交換を行う必要が生じたりした場合でもその対応が可能である。
【００３２】
第２の実施の形態として図６に示した前面パネル装置４０は、高さ方向に並べた多数本の丸太材９を水平方向に配置した少なくとも２本の支保工部材１１Ａ、１１Ｂによって一体化して構成したパネル体１０を備えてなる。なお、前面パネル装置４０は、上述した前面パネル装置１とほぼ同等の構成各部材を備えることから、対応する部材及びその部位についてそれぞれ同一符号を付すことにより詳細な説明を省略する。
【００３３】
前面パネル装置４０は、上述したように各支保工部材１１が高さ方向に所定の間隔を以って離間して水平状態で設置され、各丸太材９の上端部及び下端部の近傍をそれぞれ取付ボルト１５によって固定する。支保工部材１１は、上述した支保工部材１１と基本的な構成を同等とし、基部１６と、その両側縁に沿って一体に形成された取付フランジ部１７とからなる。支保工部材１１は、基部１６に複数のガイド片部１８が切り起し形成されるが、これら各ガイド片部１８が基部１６に形成したコ字状の切欠き溝２１によって切り残された矩形部位を、主面に対して長さ方向と平行となるようにして垂直に折曲して形成される。
【００３４】
各ガイド片部１８には、それぞれガイド孔２２Ａ、２２Ｂが形成されている。支保工部材１１は、図６に示すように各ガイド片部１８の相対するガイド孔２２がそれぞれ高さ方向に軸線を一致されるようにして上下に離間して設置され、これらガイド孔２２に連通されて連結ロッド１２が組み付けられる。したがって、連結ロッド１２は、水平方向の各支保工部材１１に対して直交した状態で組み付けられ、アンカ部２３が下段に設置された網籠体３Ｌの内部に差し込まれる。
【００３５】
前面パネル装置４０においては、各丸太材９が前面部４に対して高さ方向に並んだ状態で網籠体３に組み合わされ、各支保工部材１１を連結するようにして連結ロッド１２が組み付けられる。前面パネル装置４０においては、連結ロッド１２のアンカ部２３が下段側の網籠体３Ｌ内に差し込まれることによって下方部を保持される。前面パネル装置４０においては、連結ロッド１２にターンバックル１３の第１の連結ボルト部材２５Ａが連結されるとともに第２の連結ボルト部材２５Ｂが網籠体３に掛け合わされ、連結バックル２８を回転操作して長さ調節が行われることにより上方部も保持される。
【００３６】
なお、前面パネル装置４０は、比較的短軸の丸太材９を用いる場合には、１個の支保工部材１１によってこれら丸太材９の中央部を相互に連結固定するようにしてもよいことは勿論である。また、前面パネル装置４０は、長軸の丸太材９を用いる場合には、複数個の支保工部材１１によってこれら丸太材９の長さ方向の適宜の箇所を相互に連結固定する。
【００３７】
【発明の効果】
以上詳細に説明したように、本発明によれば、多数個の前面部材を支保工部材により一体化してなる前面パネル体が下地層上に設置された各網籠体の前面部に後付けで組み合わされるとともに、この前面パネル体が長さ調節機構を有する連結部材と支保工部材に組み付けられかつ下段に設置した網籠体内に差し込まれる連結ロッドとにより網籠体に組み付けるようにしたことから、網籠体の前面部に簡易な工法によって強固に組み付けることが可能とされ自然景観を保持した強固な籠積み擁壁の施工を可能とする。本発明によれば、ハラミが生じた網籠体に対しても一定の状態で前面パネル体が組み付けられるとともに各前面パネル体の相互の位置合わせが行われ、施工精度の高い籠積み擁壁の施工を可能とする。
【図面の簡単な説明】
【図１】本発明にかかる前面パネル装置を用いて施工された籠積み擁壁を模式的に示した断面図である。
【図２】前面パネル装置の要部斜視図である。
【図３】前面パネル装置の要部縦断面図である。
【図４】連結部材を構成するターンバックルと網籠体との連結構造を説明する要部斜視図である。
【図５】ターンバックルと網籠体との他の連結構造を説明する要部縦断面図である。
【図６】第２の実施の形態として示す前面パネル装置の要部斜視図である。
【符号の説明】
１  前面パネル装置、２  下地層、３  網籠体、４  前面部、５  上面部、７盛り土、８  編み目部位、９  丸太材、１０  パネル体、１１  支保工部材、１２  連結ロッド、１３  ターンバックル、１８  ガイド片部、２２  ガイド孔、２３  アンカ部、２４  ストッパ部、２５  連結ボルト部材、２８  連結バックル、３１  保持棒、４０  前面パネル装置
【図１】
2004244998.tif 000003
【図２】
2004244998.tif 000004
【図３】
2004244998.tif 000005
【図４】
2004244998.tif 000006
【図５】
2004244998.tif 000007
【図６】
2004244998.tif 000008